(57)【要約】  本発明の一側面によると、空気を圧縮する圧縮機と、圧縮機から排出された空気と燃料が燃焼される燃焼器と、燃焼器から排出される燃焼ガスにより駆動されるタービンと、を備えたガスタービン装置において、燃焼器及びタービンには冷却流路が設けられ、冷却流路に超臨界流体を冷却流体として流し、燃焼器及びタービンを冷却することを特徴とする超臨界流体冷却ガスタービン装置が提供される。【選択図】  図５
2017508908.tif 000002
【特許請求の範囲】
【請求項１】
空気を圧縮する圧縮機（１００）と、圧縮機（１００）から排出された空気と燃料が燃焼される燃焼器（２００）と、燃焼器（２００）から排出される燃焼ガスにより駆動されるタービン（３００）と、を備えたガスタービン装置において、燃焼器（２００）及びタービン（３００）には冷却流路（４００）が設けられ、冷却流路（４００）に超臨界流体を冷却流体として流し、燃焼器（２００）及びタービン（３００）を冷却する主発電ガスタービン（１０）と、超臨界流体圧縮機（５００）と超臨界流体タービン（６００）を有し、超臨界流体圧縮機（５００）の出口は、冷却流路（４００）の入口に連結され、超臨界流体タービン（６００）の入口は、冷却流路（４００）の出口に連結され、前記超臨界流体は、超臨界流体圧縮機（５００）により圧縮され、冷却流路（４００）を経て加熱され、超臨界流体タービン（６００）に供給される副発電ガスタービン（２０）と、を有することを特徴とする超臨界流体冷却ガスタービン装置。
【請求項２】
前記超臨界流体は、二酸化炭素であることを特徴とする請求項１に記載の超臨界流体冷却ガスタービン装置。
【請求項３】
主発電ガスタービン（１０）において、燃焼ガスにより駆動されるタービン（３００）から排出される排気ガスから二酸化炭素を捕集する二酸化炭素捕集部をさらに有することを特徴とする請求項２に記載の超臨界流体冷却ガスタービン装置。
【請求項４】
前記二酸化炭素捕集部により捕集された二酸化炭素を冷却し、副発電ガスタービン（２０）の超臨界流体圧縮機（５００）に供給することを特徴とする請求項３に記載の超臨界流体冷却ガスタービン装置。
【請求項５】
副発電ガスタービン（２０）が、燃焼器（２００）及びタービン（３００）に設けられたそれぞれの冷却流路（４００）毎に連結されて設けられることを特徴とする請求項１に記載の超臨界流体冷却ガスタービン装置。
【請求項６】
燃焼器（２００）及びタービン（３００）に設けられた冷却流路（４００）の入口が全て連結された結合入口部と、出口が全て連結された結合出口部に、一つの副発電ガスタービン（２０）が結合されることを特徴とする請求項１に記載の超臨界流体冷却ガスタービン装置。
【発明の詳細な説明】
【技術分野】
【０００１】
本発明は、ガスタービン装置に係り、より詳しくは、超臨界流体を冷却流体として用いるガスタービン装置に関する。
【背景技術】
【０００２】
ガスタービンは、基本的に、圧縮機、燃焼器、タービンから構成される。ガスタービンは、圧縮機により空気を圧縮し、圧縮された空気を燃焼器に導き、燃料を噴射して燃焼させる。このとき、発生した高温・高圧のガスをタービンに吹き付け、膨張させてタービンを回転させる。通常、圧縮機とタービンは、直接または間接的に一つの軸により連結されており、圧縮機を稼働させる動力は、タービンから発生する出力の２５乃至３０％を用いる。したがって、ガスタービンにより発電機、プロペラ等を回転させる出力は、タービンにおいて発生する出力から、圧縮機を稼働させるのに必要な出力を差し引いたものとなる。図１を参照すると、従来のガスタービンにおいては、高温部品（燃焼器、ベーン、ブレード、ケーシング等）の冷却のために圧縮空気が用いられるが、このとき、圧縮機１００により圧縮された圧縮空気を用いている。しかしながら、圧縮された冷却流体の一部を燃焼器２００及びタービン３００に送り、冷却に用いることになるので、圧縮空気の全体をタービンの回転に用いるよりも、全体のガスタービンの効率を低下させるという問題が生じた。
【発明の概要】
【発明が解決しようとする課題】
【０００３】
本発明は、上記問題点に鑑みてなされたものであり、その目的は、空気を圧縮する圧縮機、前記圧縮機から排出された空気と燃料が燃焼される燃焼器、及び前記燃焼器から排出される燃焼ガスにより駆動されるタービンを備えるガスタービン装置において、前記燃焼器及びタービンには冷却流路が設けられ、前記冷却流路に、圧縮機により圧縮された圧縮空気ではなく、超臨界流体を冷却流体として流し、燃焼器及びタービンを冷却し、ガスタービンの効率を向上させることにある。
【０００４】
本発明の他の目的は、超臨界流体圧縮機と超臨界流体タービンを有し、超臨界流体圧縮機の出口は、ガスタービン装置の冷却流路の入口に連結され、超臨界流体タービンの入口は、ガスタービン装置の冷却流路の出口に連結され、超臨界流体は、超臨界流体圧縮機により圧縮され、冷却流路を経て加熱され、超臨界流体タービンに供給され、さらに発電させることにある。
【０００５】
本発明のまた他の目的は、ガスタービンにおいて、燃焼ガスとして排出される排気ガスから二酸化炭素を捕集し、超臨界流体として用いて環境問題を防ぐことにある。
【課題を解決するための手段】
【０００６】
上述した目的を達成するために、本発明の一側面によると、空気を圧縮する圧縮機１００と、圧縮機１００から排出された空気と燃料が燃焼される燃焼器２００と、燃焼器２００から排出される燃焼ガスにより駆動されるタービン３００と、を備えたガスタービン装置において、燃焼器２００及びタービン３００には冷却流路４００が設けられ、冷却流路４００に超臨界流体を冷却流体として流し、燃焼器２００及びタービン３００を冷却することを特徴とする超臨界流体冷却ガスタービン装置が提供される。
【０００７】
また、前記燃焼ガスにより駆動されるタービン３００から排出される排気ガスから二酸化炭素を捕集する二酸化炭素捕集部をさらに有してもよい。
【０００８】
また、前記超臨界流体は、二酸化炭素であることを特徴とする。
【０００９】
本発明の他の側面によると、空気を圧縮する圧縮機１００と、圧縮機１００から排出された空気と燃料が燃焼される燃焼器２００と、燃焼器２００から排出される燃焼ガスにより駆動されるタービン３００と、を備えたガスタービン装置において、燃焼器２００及びタービン３００には冷却流路４００が設けられ、冷却流路４００に超臨界流体を冷却流体として流し、燃焼器２００及びタービン３００を冷却する主発電ガスタービン１０と、超臨界流体圧縮機５００と超臨界流体タービン６００を有し、超臨界流体圧縮機５００の出口は、冷却流路４００の入口に連結され、超臨界流体タービン６００の入口は、冷却流路４００の出口に連結され、前記超臨界流体は、超臨界流体圧縮機５００により圧縮され、冷却流路４００を経て加熱され、超臨界流体タービン６００に供給される副発電ガスタービン２０と、を有するガスタービン装置を提供する。
【００１０】
また、前記超臨界流体は、二酸化炭素であることを特徴とする。
【００１１】
また、主発電ガスタービン１０において、燃焼ガスにより駆動されるタービン３００から放出される排気ガスから二酸化炭素を捕集する二酸化炭素捕集部をさらに有してもよい。
【００１２】
また、前記二酸化炭素捕集部により捕集された二酸化炭素を冷却し、副発電ガスタービン２０の超臨界流体圧縮機５００に供給してもよい。
【００１３】
また、副発電ガスタービン２０が、燃焼器２００及びタービン３００に設けられたそれぞれの冷却流路４００毎に連結されて設けられてもよい。
【００１４】
また、燃焼器２００及びタービン３００に設けられた冷却流路４００の入口が全て連結された結合入口部と、出口が全て連結された結合出口部に、一つの副発電ガスタービン２０が結合されてもよい。
【発明の効果】
【００１５】
本発明によれば、  空気を圧縮する圧縮機、前記圧縮機から排出された空気と燃料が燃焼される燃焼器、及び前記燃焼器から排出される燃焼ガスにより駆動されるタービンを備えるガスタービン装置において、前記燃焼器及びタービンには冷却流路が設けられ、前記冷却流路に、圧縮機により圧縮された圧縮空気ではなく、超臨界流体を冷却流体として流し、燃焼器及びタービンを冷却し、ガスタービンの効率を向上させる。
【００１６】
また、超臨界流体圧縮機と超臨界流体タービンを有し、超臨界流体圧縮機の出口は、冷却流路の入口に連結され、超臨界流体タービンの入口は、冷却流路の出口に連結され、超臨界流体は、超臨界流体圧縮機により圧縮され、冷却流路を経て加熱され、超臨界流体タービンに供給され、さらに発電できる。
【００１７】
また、ガスタービンにおいて、燃焼ガスとして放出される二酸化炭素を捕集し、超臨界流体として用いて環境問題を防ぐことができる。
【図面の簡単な説明】
【００１８】
【図１】従来のガスタービンにおいて、燃焼器及びタービンを冷却する方式を示す図である。
【図２】本発明の一実施例により、超臨界流体を用いて燃焼器及びタービンを冷却する方式を示す図である。
【図３Ａ】本発明の一実施例により、主発電ガスタービンと副発電ガスタービンを用いた発電方式を示す図である。
【図３Ｂ】本発明の一実施例により、主発電ガスタービンと副発電ガスタービンを用いた発電方式を示す図である。
【図３Ｃ】本発明の一実施例により、主発電ガスタービンと副発電ガスタービンを用いた発電方式を示す図である。
【図３Ｄ】本発明の一実施例により、主発電ガスタービンと副発電ガスタービンを用いた発電方式を示す図である。
【図３Ｅ】本発明の一実施例により、主発電ガスタービンと副発電ガスタービンを用いた発電方式を示す図である。
【図４】本発明の他の実施例により、主発電ガスタービンと副発電ガスタービンを用いた発電方式を示す図である。
【図５】従来の方式をＧＥ社のＧａｔｅｃｙｃｌｅプログラムを用いて得られたシミュレーション結果を示す表示画面である。
【図６】本発明の一実施例による方式をＧＥ社のＧａｔｅｃｙｃｌｅプログラムを用いて得られたシミュレーション結果を示す表示画面である。
【図７】従来の方式と本発明の実施例による方式の電力及び効率を比較した図である。
【発明を実施するための形態】
【００１９】
以下、添付した図面を参照して、本発明の実施例による構成及び作用について詳述する。
【００２０】
図２は、本発明の一実施例により、超臨界流体を用いて燃焼器２００及びタービン３００を冷却する方式を示す図である。図２を参照すると、本発明の一側面による超臨界流体冷却ガスタービン装置は、空気を圧縮する圧縮機１００と、圧縮機１００から排出された空気と燃料が燃焼される燃焼器２００と、燃焼器２００から排出される燃焼ガスにより駆動されるタービン３００と、を備え、燃焼器２００及びタービン３００には冷却流路４００が設けられ、冷却流路４００に超臨界流体を冷却流体として流し、燃焼器２００及びタービン３００を冷却することにより構成される。
【００２１】
超臨界流体は、一定の高温と高圧の限界を超えた状態に到達し、液体か気体かを区分できない時点の流体を指すものであり、分子の密度は、液体に近いものの、粘度は低く、気体に近い性質を有する。
【００２２】
通常の温度及び圧力においては気体あるいは液体となる物質も、臨界点（ｃｒｉｔｉｃａｌ  ｐｏｉｎｔ）と呼ばれる一定の高温及び高圧の限界を超えると、蒸発過程が起こらず、気体か液体かを区別できない状態、すなわち、超臨界状態となるが、この状態の物質を超臨界流体という。このような性質を有する超臨界流体のうち、臨界温度が常温に比較的近いものが二酸化炭素であるので、本発明においては、超臨界流体の一実施形態として二酸化炭素を用いる。
【００２３】
これにより、図１に示した従来のガスタービンとは異なり、本発明の実施例においては、冷却の必要な燃焼器２００及びタービン３００等に冷却流路４００を設置し、圧縮機１００により圧縮された空気ではなく、別途の超臨界流体を用いて冷却するので、発電効率を増大できる。
【００２４】
図３Ａ乃至図３Ｅは、本発明の一実施例により、主発電ガスタービン１０と副発電ガスタービン２０を用いた発電方式を示す図であり、図４は、本発明の他の実施例により、主発電ガスタービン１０と副発電ガスタービン２０を用いた発電方式を示す図である。図３Ａ乃至図３Ｅ及び図４を参照すると、本発明の実施例においては、超臨界流体を別途の駆動流体とみなし、副発電ガスタービン２０を駆動し、発電を増加させる。
【００２５】
具体的な構成をみると、主発電ガスタービン１０として、空気を圧縮する圧縮機１００と、圧縮機１００から排出された空気と燃料が燃焼される燃焼器２００と、燃焼器２００から排出される燃焼ガスにより駆動されるタービン３００と、を有するガスタービン装置を備え、燃焼器２００及びタービン３００には冷却流路４００が設けられ、冷却流路４００に超臨界流体を冷却流体として流し、燃焼器２００及びタービン３００を冷却するが、主発電ガスタービン１０の冷却流路は開ループ（ｏｐｅｎ  ｌｏｏｐ）により構成され、主発電ガスタービン１０と結合する副発電ガスタービン２０は、超臨界流体圧縮機５００と超臨界流体タービン６００を有し、超臨界流体圧縮機５００の出口は、冷却流路４００の入口に連結され、超臨界流体タービン６００の入口は、冷却流路４００の出口に連結され、前記超臨界流体は、超臨界流体圧縮機５００により圧縮され、冷却流路４００を経て加熱され、超臨界流体タービン６００に供給され、副発電ガスタービン２０を発電させる、閉ループ（ｃｌｏｓｅｄ  ｌｏｏｐ）の冷却流路により構成される。
【００２６】
また、超臨界流体としては二酸化炭素が用いられるが、このとき、主発電ガスタービン１０において、燃焼ガスにより駆動されるタービン３００から排出される二酸化炭素が超臨界流体として用いられ、これを二酸化炭素捕集部により捕集し、捕集された二酸化炭素を冷却し、副発電ガスタービン２０の超臨界流体圧縮機５００に供給して循環させる構成を有する。
【００２７】
副発電ガスタービン２０は、図３Ａ乃至図３Ｅに示すように、燃焼器２００、タービン３００に個別的にＢ、Ｃ部分を互いに連結する方式により結合して用いられてもよく、主発電ガスタービン１０において発生した排気ガスから二酸化炭素を捕集し、副発電ガスタービン２０に供給する方式（Ａを連結）として用いられてもよい。
【００２８】
また、図４に示すように、燃焼器２００及びタービン３００に設けられた冷却流路４００の入口が全て連結された結合入口部と、出口が全て連結された結合出口部に、一つの副発電ガスタービン２０が結合されて用いられる方式により具現することも可能である。
【００２９】
また、さらに必要な熱は、ガスタービンの排ガス（ｆｌｕｅ  ｇａｓ）廃熱熱交換を通じて用いることができる。
【００３０】
図５は、従来の方式をＧＥ社のＧａｔｅｃｙｃｌｅプログラムを用いて得られたシミュレーション結果を示す表示画面であり、図６は、本発明の一実施例による方式をＧＥ社のＧａｔｅｃｙｃｌｅプログラムを用いて得られたシミュレーション結果を示す表示画面であり、図７は、従来の方式と本発明の実施例による方式の電力及び効率を比較した図である。
【００３１】
図５乃至図７を参照して、従来のガスタービン（ｓｉｎｇｌｅ  ｇａｓ  ｔｕｒｂｉｎｅ）と、本発明の実施例による主発電ガスタービン１０と副発電ガスタービン２０の結合ガスタービン装置の動力と効率を、ＧＥ社のＧａｔｅｃｙｃｌｅプログラムを用いて得られたシミュレーション結果により比較してみると、同一の燃料量を基準とするとき、従来のガスタービンに比べて、本発明の実施例によるガスタービン装置の出力と効率が向上したことが確認できる。
【符号の説明】
【００３２】
１０  主発電ガスタービン
２０  副発電ガスタービン
１００  圧縮機
２００  燃焼器
３００  タービン
４００  冷却流路
５００  超臨界流体圧縮機
６００  超臨界流体タービン
【図１】
2017508908.tif 000003
【図２】
2017508908.tif 000004
【図３Ａ】
2017508908.tif 000005
【図３Ｂ】
2017508908.tif 000006
【図３Ｃ】
2017508908.tif 000007
【図３Ｄ】
2017508908.tif 000008
【図３Ｅ】
2017508908.tif 000009
【図４】
2017508908.tif 000010
【図５】
2017508908.tif 000011
【図６】
2017508908.tif 000012
【図７】
2017508908.tif 000013
【国際調査報告】
2017508908.tif 000014
2017508908.tif 000015
2017508908.tif 000016
2017508908.tif 000017
2017508908.tif 000018
2017508908.tif 000019